(57)【要約】【課題】  簡単な構成で、巻線の位置の移動して共振周波数が可能な、安価で小型、軽量なアンテナコイルを提供することを目的とする。【解決手段】  本発明のアンテナコイルは、棒状のコアと、前記コアに巻回され、自己融着線からなり、線間を密着して整列して巻回される密な巻回層と、線間を離して巻回される疎な巻回層を有する巻線とからなるコイルであって、前記巻線は融着して一体化されて、前記コアを褶動可能なことを特徴とする。【選択図】  図１
2013131954.tif 000002
【特許請求の範囲】
【請求項１】
棒状のコアと、
自己融着線からなる導線を、
前記コアに線間を密着して整列して巻回する密な巻回層と、
前記コアに線間を離して巻回する疎な巻回層とを有する巻線とからなり、
前記巻線は融着して一体化されて、前記コアを褶動可能なことを特徴とする
アンテナコイル。
【請求項２】
前記コアの外周に、絶縁テープを巻回したことを特徴とする請求項１記載のバーアンテナ。
【請求項３】
前記アンテナコイルと、
回路部品が実装された基板を、
、前記バーアンテナより大きい一側面が開口した断面が凹部状の絶縁性の外装ケースに収納し、柔軟性の高い樹脂製の接着剤を充填したことを特徴とする
請求項１乃至請求項２記載のアンテナコイル。
【請求項４】
前記基板は、側面に、前記基板内の配線が引き出された凸部を有し、
前記凸部に前記巻線の端末部およびハーネスの端末部を絡げて接続したことを特徴とする請求項３記載のアンテナコイル。
【発明の詳細な説明】
【技術分野】
【０００１】
本発明のアンテナコイルは、車両や住宅の施錠、解錠を行うキーレスエントリ装置に用いられるアンテナコイルに関する。
【背景技術】
【０００２】
車両のキーレスエントリ装置としては、ユーザがリモートユニットのボタンを操作することにより、リモートユニットが所定のコードをもった電波を送信し、車両側ユニットは、そのコードと車両側にあらかじめ登録されている特定のコードとが合致している場合に車両のドアを施錠あるいは解錠する装置が一般的である。
また、近年、この種の装置において、運転者がリモートユニットを身につけ、ボタンを操作をしなくても車両に近づくだけで自動的に車両のドアを解錠でき、また、降車して車両から離れると自動的に車両のドアを施錠するものが知られている。
【０００３】
このようなキーレスエントリ装置の車両側ユニットのアンテナコイルには、例えば特許文献１に示すバーアンテナが用いられている。
【０００４】
図３は、従来のバーアンテナのアンテナコイルを説明するための斜視図である。
図３（ａ）に示すように、従来のアンテナコイル１は、一側面が開口した扁平の断面が凹部状の絶縁性のボビン４に薄型棒状のコア２を収納し、図３（ｂ）に示すように、ボビン４に巻線５を施したものである。このように、ボビンを用いることにより、コアの位置が移動可能になっている。
【０００５】
バーアンテナは、車両のドアノブやドアミラー等に装着される。そのため、衝撃、振動によるコア部材の破損や、温度、湿度等による劣化を防止する環境性能の向上が必要がある。そのため、図３（ｃ）に示すように、アンテナコイル１はさらに、ボビン４より大きい一側面が開口した断面が凹部状の絶縁性の外装ケース９に収納される、バーアンテナ１と外装ケース９の内壁との隙間に、柔軟性の高い樹脂製の接着剤を外装ケース９の開口面から注入し、硬化して封止する。
【先行技術文献】
【特許文献】
【０００６】
【特許文献１】特開２００５−２９５４７３号公報
【特許文献２】特開２０１０−６８２７５号公報
【発明の概要】
【発明が解決しようとする課題】
【０００７】
上記したように、キーレスエントリ装置の車両側のアンテナコイルは、高信頼性が求められるとともに、装着場所がドアノブやドアミラー等の限られた場所であるために、小型、軽量化が求められている。また、低価格化も求められている。
さらに、バーアンテナは、アンテナコイルと共振コンデンサで共振周波数が決まるが、アンテナコイルのコア部材のばらつきや巻線の位置により、インダクタンス値、共振コンデンサの容量値のばらつきにより、個々のバーアンテナの共振周波数の調整が必要であり、そのため、コアに対する巻線の位置を調整する必要があり、巻線の位置を調整するために、コアの移動構造が必要だった。
【０００８】
本発明のアンテナコイルは、上記した車両側のアンテナコイルに関するものであり、これらの要求を満足するために、簡単な構成でコアの位置の調整が可能な、安価で小型なアンテナコイルを提供することを目的とする。
【課題を解決するための手段】
【０００９】
上記の問題を解決するために、本発明のアンテナコイルは、棒状のコアと、自己融着線からなる導線を、前記コアに線間を密着して整列して巻回する密な巻回層と、前記コアに線間を離して巻回する疎な巻回層とを有する巻線とからなり、前記巻線は融着して一体化されて、前記コアを褶動可能なことを特徴とする。
【発明の効果】
【００１０】
本発明のアンテナコイルによれば、自己融着線を用いて巻線したので、ボビンが不要となり、構成を簡単にすることができる。また、巻線を融着させているので、共振周波数を調整するために巻線の位置を移動しても、巻線が型くずれすることがない。
その結果、アンテナコイルを、安価で小型のアンテナコイルとすることが可能となる。
【図面の簡単な説明】
【００１１】
【図１】本発明に係わるアンテナコイルの一実施例を示す斜視図である。
【図２】図１のアンテナコイルの組立て手順を説明するための図である。
【図３】従来のアンテナコイルを示す斜視図である。
【発明を実施するための形態】
【００１２】
以下、本発明のアンテナコイルの一実施例を、図１〜２を用いて説明する。
図１は、本発明の一実施例に係わるアンテナコイルを説明するための斜視図を示す。
【００１３】
図１に示すように、アンテナコイル１２は、強磁性体で形成した薄型長板状のコア２０と、コア２０に巻回された、巻線５０からなる。巻線５０はコア２０を褶動可能としてある。
アンテナコイル１２は、絶縁樹脂からなる樹脂部品を介して、ダンピング抵抗や共振コンデンサ等の回路部品７２が実装された基板７０に接続され、さらに、アンテナコイル１２と基板７０を収納可能な、一側面が開口した断面が凹部状の絶縁樹脂からなる外装ケース９０に収納される。
【００１４】
図２は、図１に示したアンテナコイルの組立て手順を詳しく説明する図である。
図２（ａ）に示す様に、薄型長板状の強磁性体で形成したコア２０に、図２（ｂ）に示すように、コア２０の外周に絶縁性のある絶縁テープ３０を巻回する。コアを絶縁テープで保護することにより、巻線の被覆が傷つくのを防止することができる。
【００１５】
そして、コア２０に自己融着線からなる巻線５０を巻線する。
巻線５０は、図２（ｃ）の示すように、第１層目の巻線５２は、導線間の間隔が空かないように密に巻く。
さらに、図２（ｄ）に示すように、第２層目の巻線５３は、導線間の間隔を空けて、疎に巻く。
巻線５０は褶動可能なように緩く巻回され、巻回された巻線５０は、型くずれ防止のために、巻線５０に熱を加えたり、アルコールを塗布したりして融着して、巻線５０を一体化させる。２層目の巻線５３が、１層目の巻線５２を横切るように巻回され、一体化されているので、巻線５０は構造的に強固になる。必要に応じて、巻線５０の外周をさらに接着剤で固定してもよい。
【００１６】
図２（ｅ）の示すように、固定された樹脂部品６０を介して、アンテナコイル１２と基板７０を固定する。
基板７０には、ダンピング抵抗や共振コンデンサ等の回路部品７２が実装され、基板７０の側面には、基板を切り欠いて作成された複数の凸形状の絡げ部が設けられている。この絡げ部に、巻線５０の端末部５０ａ、５０ｂと、外部回路と接続するためのハーネス８０の端末部８０ａ、８０ｂとが、それぞれ絡げられている。
【００１７】
なお、巻線５０から端末部５０ａ、５０ｂの間の引き出し部５１は、縒り合わせられていて、引き出し部４１は、樹脂部品６０の隙間につづら折り状に折り畳んで収納されている。このように引き出し部を折り畳んで収納しておくことにより、巻線の位置を移動したときに、巻線の端末が引っ張られないようにすることができる。
なお、基板をより長くして、コアと基板を重ねあわせて巻線することにより、樹脂部品を用いずに基板とコアを固定することも可能である。
【００１８】
そして図２（ｆ）の示すように、アンテナコイル１２を、外装ケース９０に収納する。このとき、ハーネス８０は抜け防止のために、外装ケース内に設けられた凸部９１と、外装ケース９０の内壁との間を略Ω状に引き回して、外装ケース９０に設けられた配線溝９２に従って、外装ケース９０外部に引き出される。このようにハーネスをΩ状に引き出すことにより、ハーネスを外部からの引っ張る力が加わっても、基板の絡げ部に影響を与えることがない、信頼性の高いアンテナコイルとすることができる。
【００１９】
さらに図２（ｇ）の示すように、バーアンテナ１２と外装ケース９０内壁との隙間に、柔軟性の高い樹脂製の接着剤９５を外装ケース９０の開口面から注入し、硬化して封止する。このように樹脂で封止することによって、振動、衝撃、温度、湿度等の環境特性に適用したアンテナコイルとすることができる。
【００２０】
上記したように、本発明のアンテナコイルは、巻線がコアを褶動可能であり、ボビンを使用せずに共振周波数を調整することが可能であり、安価で小型のアンテナコイルとすることができる。
また、アンテナコイルを、回路部品が搭載された基板と共に外装ケースに収納し、柔軟性の高い樹脂製の接着剤を充填することによって密閉されているので、衝撃、振動、温度、湿度等の環境性能における劣化要因を受けにくくなる。
さらに、ハーネスは外装ケース内部にも受けた突部と外装ケース内壁との間に沿って、略Ω形状に挟み込まれているので、ハーネス抜けを防止することができる。
このように、本発明のアンテナコイルは、安価で小型であるとともに、信頼性の高いアンテナコイルとすることができる。
【符号の説明】
【００２１】
1、１２  アンテナコイル
２、２０  コア
３０  絶縁テープ
４  ボビン
５、５０  巻線
５１  引き出し部
５２  １層目の巻線
５３  ２層目の巻線
６０  樹脂部品
７０  基板
７１  絡げ部
７２  回路部品
８０  ハーネス
９、９０  外装ケース
９１  凸部
９２  配線溝
９５  接着剤
【図１】
2013131954.tif 000003
【図２】
2013131954.tif 000004
【図３】
2013131954.tif 000005